(57)【特許請求の範囲】
【請求項１】
相互に略平行に向き合い且つロール製品の支軸と略平行となるように、パレット上に装着される一対の第１側壁と、
相互に略平行に向き合い且つ前記支軸と略直角となるように、前記パレット上に着脱自在に装着され、前記第１側壁の両側端部を着脱自在に連結して、内部にロール製品を収容するための収容空間を区画する一対の第２側壁と、
前記第１側壁の内壁面に対して上下方向にスライド移動自在に装着され、上下方向に分割可能な下段パネルおよび上段パネルを少なくとも有し、これら下段パネルと上段パネルとの分割線上に、分割可能な支持孔が形成してあり、各支持孔に前記ロール製品の支軸の端部が挿入され、前記ロール製品を前記コンテナ内に保持する保持壁とを有するロール製品輸送用コンテナであって、
前記ロール製品の支軸が、
筒状の支軸本体と、
前記支軸本体の内部を軸方向に伸びる連結ロッドと、
前記支軸本体の両端部に装着され、第１端が前記ロール製品の押さえ板に当接する筒状アダプタと、
前記筒状アダプタの第２端の外周を囲むように装着される筒状フランジを有し、前記筒状フランジの内周面に前記筒状アダプタの第２端に形成してある切り欠きに着脱自在に係合する係合凸部が固定してあり、当該フランジにより前記筒状アダプタの第２端に軸芯が略一致するように装着され、前記連結ロッドの端部が固定される固定部を持つキャップとを有する
ロール製品輸送用コンテナ。
【発明の詳細な説明】
【０００１】
【発明の属する技術分野】
本発明は、ロール製品輸送用コンテナに係り、さらに詳しくは、たとえば磁気テープやオーディオテープなどのパンケーキ状のロール製品を輸送するために適したコンテナに関する。
【０００２】
【従来の技術】
磁気テープやオーディオテープなどのロール製品を輸送するためのコンテナとしては、たとえば実公平６−２５４５２号公報に示すコンテナが開発されている。この種のコンテナでは、４面が側壁で囲まれたコンテナの内部に分割可能な保持壁を上下方向にスライド移動自在に装着し、保持壁の分割線上に形成してある保持孔でロール製品の支軸の両端部を保持している。
【０００３】
なお、ロール製品が支軸の軸方向に沿って移動すると、ロール製品が痛んだり、弛みが生じるおそれがあることから、これを防止するために、支軸の端部には、ロール製品を軸方向に固定するための固定具が装着してある。この固定具は、支軸を構成する支軸本体の両端外周を覆い一端がロール製品の押さえ板に当接する筒状アダプタと、この筒状アダプタの他端に取り付けられる蓋と、筒状支軸本体の内部を伸びる連結ロッドの両端に形成してあるネジに螺合し、前記蓋を筒状アダプタの他端に押し付けて固定するナットとを有する。
【０００４】
【発明が解決しようとする課題】
ところが、従来のコンテナでは、ロール製品を軸方向に移動しないように支軸に固定するための固定具の構造として、上述したような構造を採用しているため、ナット締め付けの作業を、連結ロッドを筒状支軸本体の軸芯に位置合わせしながら行う必要があり、その作業が煩雑であった。また、ナットをねじ回しする際に、蓋も共回りし、そのねじ回し作業が煩雑であり、一人の作業者で、それらの作業を行うことが困難であった。
【０００５】
本発明は、このような実状に鑑みてなされ、一人の作業者でも支軸に対するロール製品の軸方向固定作業をきわめて容易に行うことができ、作業性に優れたロール製品輸送用コンテナを提供することを目的とする。
【０００６】
【課題を解決するための手段】
上記目的を達成するために、本発明に係るロール製品輸送用コンテナは、
相互に略平行に向き合い且つロール製品の支軸と略平行となるように、パレット上に装着される一対の第１側壁と、
相互に略平行に向き合い且つ前記支軸と略直角となるように、前記パレット上に着脱自在に装着され、前記第１側壁の両側端部を着脱自在に連結して、内部にロール製品を収容するための収容空間を区画する一対の第２側壁と、
前記第１側壁の内壁面に対して上下方向にスライド移動自在に装着され、上下方向に分割可能な下段パネルおよび上段パネルを少なくとも有し、これら下段パネルと上段パネルとの分割線上に、分割可能な支持孔が形成してあり、各支持孔に前記ロール製品の支軸の端部が挿入され、前記ロール製品を前記コンテナ内に保持する保持壁とを有するロール製品輸送用コンテナであって、
前記ロール製品の支軸が、
筒状の支軸本体と、
前記支軸本体の内部を軸方向に伸びる連結ロッドと、
前記支軸本体の両端部に装着され、第１端が前記ロール製品の押さえ板に当接する筒状アダプタと、
前記筒状アダプタの第２端に軸芯が略一致するように装着され、前記連結ロッドの端部が固定される固定部を持つキャップとを有することを特徴とする。
【０００７】
前記キャップが、前記筒状アダプタの第２端の外周に覆い被さる筒状フランジを有することが好ましい。
【０００８】
前記筒状フランジの内周面には、前記筒状アダプタの第２端に形成してある切り欠きに着脱自在に係合する係合凸部が固定してあることが好ましい。
【０００９】
前記連結ロッドの両端には、それぞれ雄ネジが形成してあり、各雄ネジに対してナットを螺合することで、前記キャップが連結ロッドの端部に着脱自在に固定されることが好ましい。
【００１０】
なお、本発明において、ロール製品としては、特に限定されず、磁気テープやオーディオテープなどのパンケーキ状のロール製品を例示することができる。また、支軸に着脱自在に固定されるロール製品の数は、単一のみ成らず、支軸の軸方向に沿って複数であっても良い。
【００１１】
【作用】
本発明に係るロール製品輸送用コンテナでは、キャップが筒状アダプタの第２端に対して軸芯が略一致するように装着されるので、連結ロッドの端部をキャップに形成してある貫通孔に通すことなどのみで、連結ロッドの軸芯と支軸本体の軸芯との位置合わせが自動的に行われる。その結果、作業者は、一人でも、連結ロッドの端部にキャップを固定する作業を行うことができる。
【００１２】
本発明において、前記キャップに形成してある筒状フランジの内周面に、前記筒状アダプタの第２端に形成してある切り欠きに着脱自在に係合する係合凸部を形成することで、キャップが筒状アダプタに対して回転することがなくなる。その結果、連結ロッドの端部をキャップの貫通孔に通し、連結ロッドの雄ネジにナットを取り付けて締め付ける際に、ナットと共にキャップが共回りする事態を防止することができ、そのナット締め付け作業がきわめて容易になる。
【００１３】
【発明の実施の形態】
以下、本発明を、図面に示す実施形態に基づき説明する。
【００１４】
図１は本発明の一実施形態に係るロール製品輸送用コンテナの分解斜視図、図２（Ａ）はロール製品の支軸と略直角な面に沿ったコンテナの断面図、同図（Ｂ）はロール製品の支軸と略平行な面に沿ったコンテナの断面図、図３は側壁とパレットとの取付構造を示す分解斜視図、図４は支軸の分解斜視図、図５は支軸の端部の要部断面図である。
【００１５】
図１に示す本実施形態に係るロール製品輸送用コンテナ２は、図２（Ａ）および（Ｂ）に示すように、支軸４により保持してある複数のロール製品６を収容して輸送するためのコンテナであって、底部にパレット８を有する。各支軸４により保持されたロール製品６は、図２（Ａ）および（Ｂ）では、単一のものとして描いてあるが、実際には、各支軸４方向に沿って懸架された複数の円盤状磁気テープなどの集合である。
【００１６】
図１および図２に示すように、本実施形態のパレット８には、フォークリフトの爪部が差し込まれるリフト用孔１０が形成してある。パレット８は、たとえばステンレスなどの金属で構成してあることが好ましいが、プラスチックなどの金属以外の材質で構成することも可能である。
【００１７】
パレット８の上には、合板などで構成してある底板１２が載置される。また、このパレット８の四辺位置には、相互に略平行に向き合う一対の第１側壁１４，１４と、これら第１側壁１４，１４の両側端部を連結するように、しかも相互に略平行に向き合う一対の第２側壁１６，１６とが着脱自在に装着される。本実施形態では、第１側壁１４，１４は、パレット８の上で、ロール製品６の支軸４に対して略平行となるように立設される。また、第２側壁１６，１６は、パレット８の上で、ロール製品６の支軸４に対して略直角となるように立設される。
【００１８】
パレット８の上で、第１側壁１４，１４および第２側壁１６，１６で囲まれた空間が、ロール製品６を収容するための収容空間１８となる。これら側壁で囲まれた空間１８を閉じるために、側壁１４，１４，１６，１６の上端には、矩形の蓋２０が上止め金具２２により着脱自在に装着される。
【００１９】
本実施形態では、各第１側壁１４は、それぞれ一枚の補強合板から成るパネルで構成してあり、下述するような構造を採用することにより、パレット８に対して折り畳み自在となっている。また、各第２側壁１６は、それぞれ一枚の補強合板から成るパネルで構成してあり、下述するような構造を採用することにより、パレット８および第１側壁１４に対して着脱自在な構成となっている。
【００２０】
コンテナ２の内部には、各ロール製品４の支軸４の両端を保持するための保持壁３３が、第１側壁１４の内壁面に対して上下方向にスライド移動自在に装着してある。各保持壁３３は、それぞれ分割線３５，３７の位置で分割可能な下段パネル３６、第１上段パネル３８および第２上段パネル４０で構成してある。これらパネル３６、３８および４０の分割線上に、分割可能な支持孔４６が形成してあり、各支持孔４６にロール製品６の支軸４の端部が挿入され、ロール製品６をコンテナ２内に保持することが可能になっている。本実施形態では、各分割線３５，３７毎に三つの支持孔４６が形成してあり、各保持壁３３には、合計６つ支持孔４６が形成してある。これら支持孔４６の数や配置間隔は、コンテナ２の内部に収容されるロール製品６相互が干渉しないように決定される。
【００２１】
これらパネル３６、３８および４０は、本実施形態では、補強木製合板で構成してある。なお、各保持壁３３を構成するパネル３６、３８および４０の両側端部がスライド自在に装着される第１側壁１４の内壁面には、図示省略してある案内レールが具備してある。また、各保持壁３３を構成するパネル３６、３８および４０の縁部（分割線３５，３７の部分や支持孔４６の部分を含む）には、保護枠が装着してあることが好ましい。保護枠は、ポリエステル樹脂、ＡＢＳ樹脂などの合成樹脂を塗布乾燥して形成することができる。
【００２２】
保護枠を装着することが好ましいのは、保持壁３３を構成する各パネル３６、３８および４０の上下端は、図１に示す分割線３５および３７に沿って相互に当接すると共に、側端は案内レールのスライド溝に沿ってスライド移動することが要求され、多数回の使用にも耐えられる滑り易さと耐久性が要求されるからである。また、支持孔４６の縁部にも保護枠を設けることで、支軸４を支持孔４６により弾力保持するためでもある。
【００２３】
本実施形態では、図３に示すように、パレット８の上の四隅位置には、下金具２４が立設してある。各下金具２４の内側には、断面略Ｌ字形状の係止片２６が固定してあり、上下方向に延びる垂直溝２８と、その溝２８の下端部に連続するように水平方向に延びる水平溝３０とを形成するようになっている。
【００２４】
一方、第１側壁１４を構成するパネルの両側端部には、高さ方向に沿って金属製の側端金枠３２が装着してある。各側端金枠３２は、第１側壁１４を補強する作用を有する。また、各側端金枠３２には、図１に示す第２側壁１６の両端部がそれぞれスライド式に差し込まれるためのスライド溝３４が形成してある。また、この側端金枠３２の下端部に、回動用突起４２が具備してある。
【００２５】
各回動用突起４２は、図３に示すように、下金具２４の垂直溝２８に沿って挿入され、その溝２８の下端部で、水平方向に移動させることで（図３中矢印Ａ）、回動用突起４２は係止片２６により上方への抜け止めがなされる。したがって、各第１側壁１４は、パレット８に対して上方への抜け止めがなされ、その状態で、第１側壁１４は、コンテナ２の内側方向Ｂへの回動が許容される。第１側壁１４のコンテナ外側への回動は、第１側壁１４が、パレット８の上に固定された下金具２４、係止片２６および帯状金具４４に当接することにより制限される。また、第１側壁１４の両側端部が、図１に示す止め金具１５により第２側壁１６の側端部と連結されることによっても、第１側壁１４のコンテナ外側への回動が制限される。
【００２６】
本実施形態では、上述した構造を採用することにより、第１側壁１４および第２側壁１６を構成するパネルが、パレット８に対して折り畳み自在または着脱自在に装着される。
【００２７】
本実施形態では、図４および図５に示すように、ロール製品６の支軸４は、たとえば塩化ビニル樹脂などの合成樹脂あるいは金属で構成してある円筒状の支軸本体５０と、支軸本体５０の内部を軸方向に伸びる連結ロッド５２とを有する。連結ロッド５２は、たとえば金属製丸棒で構成してあり、その両端部には、雄ネジ５３が形成してある。
【００２８】
支軸本体５２の両端部には、たとえば塩化ビニル樹脂などの合成樹脂あるいは金属で構成してある円筒状アダプタ５４がそれぞれ装着される。この円筒状アダプタ５４の第１端５４ａは、図５に示すように、ロール製品６の押さえ板７０に当接する。押さえ板７０は、円盤状の合成樹脂板、ゴム板または金属板などで構成してある。
【００２９】
円筒状アダプタ５４の第２端５４ｂには、たとえば塩化ビニル樹脂などの合成樹脂あるいは金属で構成してあるキャップ５６が装着される。キャップ５６は、円筒状フランジ５６ａが一体に成形してあり、その内周面の約１８０度位置に、一対の係合凸部６２が形成してある。キャップ５６の円筒状フランジ５６ａは、円筒状アダプタ５４の第２端５４ｂの外周を囲むように装着される。その結果、キャップ５６は、アダプタ５４に対して、略同芯状態で装着される。アダプタ５４は、支軸本体５０の端部外周に略同芯状態で装着されるので、キャップ５６は、支軸本体５０に対して略同芯となる。
【００３０】
キャップ５６の内面に形成してある係合凸部６２は、それぞれ、第２端５４ｂの円周方向約１８０度位置に形成してある一対の切り欠き５８に係合する。その結果、キャップ５６はアダプタ５４に対して回り止めが成される。
【００３１】
図４に示すように、キャップ５６の中心には、貫通孔６０が形成してあり、その貫通孔６０には、連結ロッド５２の両端に形成してある雄ネジ５３、５３の内のいずれか一方が挿通する。各雄ネジ５３には、キャップ５６を挟んでダブルナット６４および６６が雄ネジ５３に螺合し、連結ロッド５２の両端に形成してあるナット６４および６４を締め付けることで、両キャップ５６および５６が連結ロッド５２の両端に固定される。また、各キャップ５６は、アダプタ５４の第２端５４ｂを押圧し、アダプタ５４の第１端５４ａは、押さえ板７０を押圧し、ロール製品６の両軸端は、押さえ板７０および７０により軸方向に固定される。
【００３２】
本実施形態に係るロール製品輸送用コンテナ２の支軸４では、図４および図５に示すように、キャップ５６がアダプタ５４の第２端５４ｂに対して軸芯が略一致するように装着される。このため、連結ロッド５２の端部をキャップ５６に形成してある貫通孔６０に通すのみで、連結ロッド５２の軸芯と支軸本体５０の軸芯との位置合わせが自動的に行われる。その結果、作業者は、一人でも、連結ロッド５２の端部にキャップ５６を固定する作業を行うことができる。
【００３３】
また、キャップ５６に形成してある円筒状フランジ５６ａの内周面に、アダプタ５４の第２端５４ｂに形成してある切り欠き５８に着脱自在に係合する係合凸部６２を形成してあるので、キャップ５６がアダプタ５４に対して相対回転することがなくなる。その結果、連結ロッド５２の端部をキャップ５６の貫通孔６０に通し、連結ロッド５２の雄ネジ５３にナット６４を取り付けて締め付ける際に、ナット６４と共にキャップ５６が共回りする事態を防止することができ、そのナット締め付け作業がきわめて容易になる。
【００３４】
このようにして支軸４と一体化されたロール製品６を、本実施形態に係るロール製品輸送用コンテナ２に収容するには、まず、図１に示すように、コンテナ２のパレット８上に底板１２を設置すると共に、パレット８上の相互に向かい合う位置に、一対のパネルを立てて第１側壁１４を形成する。
【００３５】
次に、これら第１側壁１４の各端部を連結するように、第２側壁１６を構成する一対のパネルを立てて第２側壁１６を形成する。その後、第１側壁１４の内壁面に形成してあるガイドレールに沿って、一対の下段パネル３６をコンテナ２の内部に差し込む。
【００３６】
下段パネル３６の上端には、分割可能な支持孔４６の下半分が形成してある。この支持孔４６の下半分の上に、ロール製品６の両端部から突出する支軸４の両端部をそれぞれ載せる。その後、第１上段パネル３８を下段パネル３６の上端に分割線３５に沿って組み合わせる。本実施形態では、第１上段パネル３８の上端にも、分割可能な支持孔４６の下半分が形成してある。この支持孔４６の下半分の上にも、ロール製品６の両端部から突出する支軸４の両端部をそれぞれ載せる。その後、第２上段パネル４０を第１上段パネル３８の上端に分割線３７に沿って組み合わせれば、保持壁３３が形成される。したがって、一方の保持壁３３当たり６つの支持孔４６に各ロール製品６の支軸４をそれぞれ保持させることで、本実施形態では、６つのロール製品６を、第１側壁１４と第２側壁１６とで４方が囲まれる収容空間１８内部に、相互に接触することなく、しかも壁に接触することなく、独立保持状態で収容することができる。
【００３７】
したがって、各ロール製品６が接触して擦れ合うことが無くなり、ロール製品６毎に個別の一次包装を省略することができ、一次包装のための資材と労力とを省略することができる。また、本実施形態では、各パネル３６，３８，４０を分割することにより、支持孔４６が分割されるので、ロール製品６の支軸両端部を支持孔４６に保持させる作業および支持孔４６から取り出す作業を容易且つ迅速に行うことができる。
【００３８】
また、本実施形態に係るコンテナ２は、各側壁を構成するパネルとパレット８とが着脱自在であり、折り畳むことができるので、ロール製品６を運送した後の空コンテナ２を、折り畳んで小さくして返送し再利用することができる。したがって、返送のための輸送効率が向上すると共に、廃棄処分となるゴミが発生せず、資源の再利用に寄与する。また、コンテナ２を使用しないときにも、小さく折り畳んで保管することもできるので、保管スペースの省スペース化も図れる。
【００３９】
なお、本発明は、上述した実施形態に限定されるものではなく、本発明の範囲内で種々に改変することができる。
【００４０】
たとえば、各保持側壁３３を構成するパネル３６、３８および４０の数は、上述した実施形態では、３つであるが、２または４以上であっても良い。
【００４１】
【発明の効果】
以上説明してきたように、本発明によれば、一人の作業者でも支軸に対するロール製品の軸方向固定作業をきわめて容易に行うことができ、作業性に優れたロール製品輸送用コンテナを提供することができる。
【図面の簡単な説明】
【図１】  図１は本発明の一実施形態に係るロール製品輸送用コンテナの分解斜視図である。
【図２】  図２（Ａ）はロール製品の支軸と略直角な面に沿ったコンテナの断面図、同図（Ｂ）はロール製品の支軸と略平行な面に沿ったコンテナの断面図である。
【図３】  図３は側壁とパレットとの取付構造を示す分解斜視図である。
【図４】  図４は支軸の分解斜視図である。
【図５】  図５は支軸の端部の要部断面図である。
【符号の説明】
２…  コンテナ
４…  支軸
６…  ロール製品
８…  パレット
１２…  底板
１４…  第１側壁
１６…  第２側壁
１８…  収容空間
２０…  蓋
３３…  保持壁
３５，３７…  分割線
３６…  下段パネル
３８…  第１上段パネル
４０…  第２上段パネル
４６…  支持孔
５０…  支軸本体
５２…  連結ロッド
５４…  筒状アダプタ
５６…  キャップ
５６ａ…  筒状フランジ
５８…  切り欠き
６０…  貫通孔
６２…  係合凸部
６４，６６…  ナット
【図１】
0004108202.tif 000002
【図２】
0004108202.tif 000003
【図３】
0004108202.tif 000004
【図４】
0004108202.tif 000005
【図５】
0004108202.tif 000006